(57)【要約】【課題】  本発明が解決しようとする課題は、所定の条件を満たした場合に宛先やアドレスを全桁表示することで適切な宛先を選択できるようにすることである。【解決手段】  上記課題を解決するために、本実施形態の画像処理装置は、記憶部と、表示部と、操作部と、通信Ｉ／Ｆと、制御部を備える。記憶部は宛先の情報を記憶する。表示部は前記記憶部に記憶された宛先の選択を受け付ける第１の画面と、選択された宛先の情報を確認するための第２の画面と、を表示する。操作部は前記第１の画面においてユーザから前記宛先の選択を受け付ける。通信Ｉ／Ｆは外部装置と通信を行い、前記操作部で選択された宛先に画像データを送信する。制御部は前記第１の画面において前記操作部によって選択された前記宛先の情報が所定の条件を満たす場合に前記表示部に第２の画面を表示する。【選択図】図４
2020156010.tif 000002
【特許請求の範囲】
【請求項１】
宛先の情報を記憶する記憶部と、
前記記憶部に記憶された宛先の選択を受け付ける第１の画面と、選択された宛先の情報を確認するための第２の画面と、を表示する表示部と、
前記第１の画面においてユーザから前記宛先の選択を受け付ける操作部と、
外部装置と通信を行い、前記操作部で選択された宛先に画像データを送信する通信Ｉ／Ｆと、
前記第１の画面において前記操作部によって選択された前記宛先の情報が所定の条件を満たす場合に前記表示部に前記第２の画面を表示する制御部と、
を備えた画像処理装置。
【請求項２】
前記所定の条件は、前記操作部によって選択された前記宛先の情報に含まれる宛先名が予め設定された桁数以上である請求項１に記載の画像処理装置。
【請求項３】
前記所定の条件は、前記操作部によって選択された前記宛先の情報が前記記憶部に記憶されている他の宛先の情報と類似していることである請求項１に記載の画像処理装置。
【請求項４】
前記制御部は前記操作部により選択された前記宛先の情報の所定の桁数の文字が、前記記憶部に記憶されている他の宛先の情報の所定の桁数の文字と一致する場合に宛先が類似していると判断する請求項３に記載の画像処理装置。
【請求項５】
前記記憶部は前記宛先の情報と共に他の宛先の情報を類似の宛先の情報として紐付けて記憶する請求項３または４に記載の画像処理装置。
【請求項６】
宛先の選択を受け付ける第１の画面と、宛先の情報を確認するための第２の画面と、を表示し、
前記第１の画面においてユーザから宛先の選択を受け付け、
外部装置と通信を行い、選択された前記宛先に画像データを送信し、
前記第１の画面において選択された前記宛先の情報が所定の条件を満たす場合に第２の画面を表示する、
画像処理方法。
【発明の詳細な説明】
【技術分野】
【０００１】
本発明の実施形態は、画像処理装置のＦＡＸやスキャンデータを送信する際の宛先選択画面における宛先名称および宛先番号の表示方法に関する。
【背景技術】
【０００２】
従来、画像処理装置でスキャンした電子データをネットワークを介して外部装置へ送信する技術が知られている。しかし、画像処理装置に備えられている操作パネルは表示画面が小さいことから送り先の宛先名やアドレスの一部しか表示できず、正しい送信先を選択できているか確認するのが面倒であった。従来技術として画像形成装置に複数のアドレスを登録しておき、ユーザによって選択されたアドレス情報を別画面で表示する技術が知られている。この場合ユーザは一部しか表示されていないアドレスを１つずつ押下して別画面を開く手間と、その都度別画面を閉じる手間がかかり操作性が悪くなっていた。
【先行技術文献】
【特許文献】
【０００３】
【特許文献１】特開２０１７−１１８２９７号公報
【発明の概要】
【発明が解決しようとする課題】
【０００４】
本発明が解決しようとする課題は、別画面で適切なアドレスを確認できるようにしつつも、別画面を閉じる手間がかからないようにすることである。
【課題を解決するための手段】
【０００５】
上記課題を解決するために、本実施形態の画像処理装置は、記憶部と、表示部と、操作部と、通信Ｉ／Ｆと、制御部を備える。
【０００６】
記憶部は宛先の情報を記憶する。表示部は前記記憶部に記憶された宛先の選択を受け付ける第１の画面と、選択された宛先の情報を確認するための第２の画面と、を表示する。操作部は前記第１の画面においてユーザから前記宛先の選択を受け付ける。通信Ｉ／Ｆは外部装置と通信を行い、前記操作部で選択された宛先に画像データを送信する。制御部は前記第１の画面において前記操作部によって選択された前記宛先の情報が所定の条件を満たす場合に前記表示部に第２の画面を表示する。
【図面の簡単な説明】
【０００７】
【図１】第１の実施形態における画像処理装置の断面図。
【図２】第１の実施形態における画像処理装置のハードウェア構成を示す図。
【図３】第１の実施形態における宛先選択画面を示す図。
【図４】第１の実施形態におけるサブウインドウを示す図。
【図５】第１の実施形態におけるサブウインドウを示す図。
【図６】第１の実施形態における宛先選択処理の制御を示すフローチャート。
【図７】第１の実施形態における宛先候補選択処理の制御を示すフローチャート。
【図８】第２の実施形態におけるサブウインドウの変形例を示す図。
【図９】第２の実施形態におけるサブウインドウの変形例を示す図。
【図１０】第２の実施形態における宛先選択処理の制御を示すフローチャート。
【図１１】第２の実施形態における宛先候補選択処理の制御を示すフローチャート。
【図１２】変形例におけるサブウインドウを示す図。
【発明を実施するための形態】
【０００８】
以下、発明を実施するための実施形態について、図面を参照して説明する。
【０００９】
（第１の実施形態）
本実施形態では画像処理装置１を例に挙げて説明する。
【００１０】
画像処理装置１は、例えばシートにトナーによる画像の形成が可能な複合機（ＭＦＰ；Ｍｕｌｔｉ  Ｆｕｎｃｔｉｏｎ  Ｐｅｒｉｐｈｅｒａｌ）である。
【００１１】
図１は、第１の実施形態に係る画像処理装置１の断面図である。
【００１２】
読取部１００は、例えば対象となるシートの画像を読み取るスキャナである。読取部１００は、読み取った画像情報を画像データとして後述する記憶部１７５へ保存する。記憶部１７５に保存された画像データは、ネットワークを介して他の情報処理装置に送信されてもよい。また、記憶部１７５に保存された画像データは、後述する画像形成部によって別のシート上に形成されてもよい。
【００１３】
シート収容部１０５は、筐体下部に設けられ、複数の給紙カセット１０５Ａ、１０５Ｂおよび１０５Ｃを備える。各給紙カセット１０５Ａ、１０５Ｂ、および１０５Ｃは、それぞれに所定のサイズおよび種類のシートを収納する。尚、各給紙カセット１０５Ａ、および１０５Ｃの設定は適宜変更可能である。各給紙カセット１０５Ａ、１０５Ｂ、および１０５Ｃは、それぞれピックアップローラ１１０Ａ、１１０Ｂ、および１１０Ｃを備える。各ピックアップローラ１１０Ａ、１１０Ｂ、および１１０Ｃは、各給紙カセット１０５Ａ、１０５Ｂ、および１０５Ｃからシートを１枚ずつ取り出す。ピックアップローラ１１０Ａ、１１０Ｂ、および１１０Ｃは、取り出したシートを搬送路１１５へ搬送する。
【００１４】
搬送路１１５はシートを搬送する経路である。搬送路１１５は給紙トレイ１０５から後述する画像形成部１３５および定着部１５０を経てシートを排紙部１６０へ搬送するための経路である。
【００１５】
搬送部１１５Ａは、給紙ローラ１２０Ａ、１２０Ｂ、１２０Ｃ、レジストローラ１２５、および複数の搬送ローラ１３０を有する。給紙ローラ１２０Ａ、１２０Ｂ、および１２０Ｃは、それぞれピックアップローラ１１０Ａ、１１０Ｂ、および１１０Ｃによって給紙カセット１０５から搬送されるシートをレジストローラ１２５へ搬送路１１５に沿って搬送する。
【００１６】
レジストローラ１２５は、後述する画像形成部１３５が転写ベルト上にトナーにより形成した画像をシートの表面上に転写するタイミングに合わせて、シートを転写ローラ１４５へ搬送する。搬送ローラ１３０は、搬送路１１５に複数備えられており、給紙されたシートを搬送路１１５に沿って排紙部１６０まで搬送する。
【００１７】
画像形成部１３５は搬送路１１５に沿って定着部１５０の上流に配置される。画像形成部１３５は、画像形成ユニットとして、現像器１３５Ａ、感光体ドラム１３５Ｂ、露光器１３５Ｃ、および図示しない帯電部１３５Ｄを有する。帯電部１３５Ｄは、感光体ドラム１３５Ｂの表面（感光体層）に一様に帯電させる。露光部１３５Ｃがレーザ光の照射により感光体ドラム１３５Ｂの表面に静電潜像を形成する。この静電潜像に対し、現像器１３５Ａがトナーを付加することで現像を行う。また、画像形成部１３５は、転写ユニットとして、転写ベルト１４０と転写ローラ１４５を備える。画像形成ユニットで現像されたトナーは転写ベルト１４０に転写される（一次転写）。転写ローラ１４５は、転写ベルト１４０上に形成された画像をシート上に転写する（二次転写）。シートに転写されたトナーは、後述する定着部１５０によりシートに定着させられる。
【００１８】
以上のように画像形成部１３５は、トナーによってシートの表面上に画像を形成する。本実施形態におけるトナーは、非消色性記録剤のトナー（以下、通常トナー）と、消色性記録剤のトナー（以下、消色トナー）を含む。通常トナーは、例えば、イエロー（Ｙ）、マゼンタ（Ｍ）、シアン（Ｃ）、ブラック（Ｋ）などのトナーである。消色トナーは、通常トナーと同様に有色のトナーであり、例えば青色である。消色トナーは、通常トナーがシートに定着する定着温度よりも高い消色温度で加熱されることで消色する。
【００１９】
定着部１５０は、加熱ローラ１５０Ａと加圧ローラ１５０Ｂを備える。加熱ローラ１５０Ａは、シートの第１の面側からシートに熱を加える。加圧ローラ１５０Ｂはシートの第２の面側からシートに圧力を与える。定着部１５０は、この熱と圧力とによって、画像を形成する際にはシートに転写されたトナーを定着させる。
【００２０】
排紙ローラ１６０Ａは、シートを排紙トレイ１６５に排紙する。排紙トレイ１６５は排紙されたシートを積載する。
【００２１】
コントロールパネル１７０は、表示部１７０Ａおよび操作部１７０Ｂを備える。表示部１７０Ａは、液晶ディスプレイおよび有機ＥＬ（Ｅｌｅｃｔｒｏ  Ｌｕｍｉｎｅｓｃｅｎｃｅ）ディスプレイ等の表示装置である。表示部１７０Ａは、画像処理装置１に関する種々の情報を表示する。操作部１７０Ｂは、複数のボタンなどを備え、ユーザの操作を受け付ける。操作部１７０Ｂは、ユーザによって行われた操作に応じた信号を制御部１９０に出力する。尚、表示部１７０Ａと操作部１７０Ｂとは一体のタッチパネルとして構成されてもよい。
【００２２】
図２は、画像処理装置１のハードウェア構成の制御ブロック図である。画像処理装置１は制御部１９０、読取部１００、記憶部１７５、コントロールパネル１７０、画像形成部１３５、定着部１５０、搬送部１１５Ａ、排紙トレイ１６５、および通信インターフェース（Ｉ／Ｆ）１８０、を有する。画像処理装置１の各部は、バスライン１８５を介して接続される。
【００２３】
制御部１９０は、ＣＰＵ（Ｃｅｎｔｒａｌ  Ｐｒｏｃｅｓｓｉｎｇ  Ｕｎｉｔ）或いはＭＰＵ（Ｍｉｃｒｏ  Ｐｒｏｃｅｓｓｉｎｇ  Ｕｎｉｔ）からなるプロセッサ１９５Ａとメモリ１９５Ｂとを有する。メモリ１９５Ｂは、例えば、半導体メモリであり、各種制御プログラムを格納するＲＯＭ（Ｒｅａｄ  Ｏｎｌｙ  Ｍｅｍｏｒｙ）１９５Ｃと、プロセッサ１９５Ａに一時的な作業領域を提供するＲＡＭ（Ｒａｎｄｏｍ  Ａｃｃｅｓｓ  Ｍｅｍｏｒｙ）１９５Ｄを有する。ＲＡＭ１９５Ｄは、読取部１００で読み取った画像を一時的に保存してもよい。制御部１９０は、ＲＯＭ１９５Ｃに格納された各種制御プログラム等に基づいて、画像処理装置１の各部を制御する。
【００２４】
記憶部１７５は、読取部１００が読み取った画像データを保存する。記憶部１７５は、例えば、ハードディスクドライブ、その他の磁気記憶装置、光学式記憶装置、若しくはフラッシュ・メモリ等の半導体記憶装置、又はこれらの任意の組み合わせであってよい。記憶部１７５は後述する通信Ｉ／Ｆ１８０で接続する外部装置の情報を宛先の情報として記憶する。宛先の情報には宛先名や宛先番号（外部装置のＦＡＸ番号やＥ−ｍａｉｌアドレス等の情報）が含まれている。
【００２５】
搬送部１１５Ａは、図１に示す搬送路１１５に配置される複数の搬送ローラ１３０およびこれらを駆動する複数の搬送モータを有する。搬送路１１５は、後述するシート収容部１０５から給紙されたシートを、画像形成部１３５および定着部１５０を経由させ排紙トレイ１６５まで搬送するための経路である。
【００２６】
排紙部１６０は、排紙ローラ１６０Ａ、排紙口、排紙トレイ１６５を備える。排紙トレイ１６５は排紙ローラ１６０Ａが排紙口から排紙したシートを積載する。
【００２７】
通信Ｉ／Ｆ１８０は、外部の機器と接続するインターフェースである。通信Ｉ／Ｆ１８０は、例えば、Ｂｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ３３０４等の適切な無線又は有線を介してネットワーク上の外部装置と通信する。通信Ｉ／Ｆ１８０は、更に、ＵＳＢ規格の接続端子が接続されるＵＳＢ接続部やパラレルインターフェース等を含んでもよい。制御部１９０は、通信Ｉ／Ｆ１８０を介して外部機器と通信する。
【００２８】
画像処理装置１は読取部１００で読み取って取得した画像データのファイル等をｅ−ｍａｉｌ等で外部装置へ送信することができる。またＦＡＸ機能として画像データを送信することができる。
【００２９】
次に図３を用いてコントロールパネル１７０上に表示される宛先選択画面（第１の画面）について説明する。この画面はコントロールパネル１７０がユーザによってＦＡＸ、スキャン画像送信の画面立ち上げ操作を受け付けた場合に表示される。図３の宛先選択画面には、宛先選択欄１７０ａ、宛先候補欄１７０ｂ、宛先全削除ボタン１７０ｃ、詳細設定欄１７０ｄ、送信ボタン１７０ｅが表示されている。
【００３０】
宛先選択欄１７０ａは記憶部１７５に登録されている宛先を表示する。それぞれの宛先選択欄１７０ａには宛先名とメール送信を示すアイコンが表示されている。図３の例では宛先が９件表示されており、それぞれの宛先には文字が８桁、または数字が９桁表示されている。この宛先は宛先名が９個以上の文字で記憶部１７５に登録されている場合であっても８桁までしか表示しない。同様にこの宛先は宛先名が１０桁以上の数字で記憶部１７５に登録されている場合であっても９桁までしか表示しない。
【００３１】
宛先候補欄１７０ｂはユーザによって宛先選択欄１７０ａで選択された宛先と選択された宛先数が表示されている。図３の例では宛先候補が４件表示されており、それぞれの宛先には文字が１０個、または数字が１１個表示されている。この宛先名は宛先が１１個以上の文字で登録されている場合であっても１０個までしか表示しない。同様にこの宛先は宛先名が１２個以上の数字で登録されている場合であっても１１個までしか表示しない。
【００３２】
宛先全削除ボタン１７０ｃは宛先候補欄１７０ｂに登録されている宛先を全て削除する。
【００３３】
詳細設定欄１７０ｄは詳細設定画面を表示する複数のボタンを含む。詳細設定欄１７０ｄには用紙サイズを変更する用紙サイズ変更ボタン、解像度を変更する解像度ボタン、プレビューを表示するプレビューボタンがある。図３の例ではサイズは“自動”、解像度は“普通”が選択されている。
【００３４】
送信ボタン１７０ｅは画像データを送信するための欄である。ユーザによって押下されると電子データを宛先候補欄１７０ｂの宛先に送る。
【００３５】
図３の表示の場合、ユーザは宛先を選択する際、例えば宛先名が「（株）東芝テック  三島事業所」で登録されている宛先と、「（株）東芝テック  大仁事業所」で登録されている宛先を識別することが出来ない。また、宛先候補欄１７０ｂには「（株）東芝テック  三」または「（株）東芝テック  大」まで表示されるので、ユーザは送り先を識別できる。しかし、この方法で宛先を特定しようとすると不要な宛先を一旦宛先候補欄１７０ｂに追加し、さらに宛先候補欄１７０ｂから削除する手間がかかる。また、この場合であっても宛先名が「（株）東芝テック  三島事業所  知的財産室」と「（株）東芝テック  三島事業所  正門警備室」とを区別することはできない。よって、本実施例では宛先選択欄１７０ａを選択するとサブウインドウ２００を表示する。
【００３６】
図４はサブウインドウ（第２の画面）２００を示す図である。サブウインドウ２００は宛先選択画面においてユーザに宛先選択欄１７０ａの宛先を選択されると表示される。図４の例ではサブウインドウ２００には宛先名欄２００Ａと宛先番号欄２００Ｂが表示されている。また、画面下部には決定ボタン２００Ｃとキャンセルボタン２００Ｄが表示されている。なお、表示部Ａの表示画面が宛先選択画面からサブウインドウ２００に切り替わってもよいし、宛先選択画面の上に被さるようにサブウインドウ２００が表示されてもよい。
【００３７】
宛先名欄２００Ａには宛先名として５０桁の文字が表示されている。この宛先名欄２００Ａには図３の宛先選択欄１７０ａおよび宛先候補欄１７０ｂに表示される桁数よりも多くの桁数を表示することが出来る。なお、宛先名欄２００Ａでの表示方法として３４桁目以降の文字を折り返して表示しているがこれに限定されない。例えば、文字が左から右へ流れるように表示することで全ての文字を確認できるようにしてもよい。またコントロールパネル１７０上の操作により文字をスクロールできるようにしてもよい。
【００３８】
宛先番号欄２００Ｂには宛先番号として９０桁の数字が表示されている。この宛先番号欄２００Ｂには図３の宛先選択欄１７０ａおよび宛先候補欄１７０ｂに表示される桁数よりも多くの桁数を表示することが出来る。なお、宛先名欄２００Ａでの表示方法として４２桁目以降の数字を折り返して表示しているがこれに限定されない。例えば、数字が左から右へ流れるように表示することで全ての数字を確認できるようにしてもよい。またコントロールパネル１７０上での操作により数字をスクロールできるようにしてもよい。
【００３９】
決定ボタン２００Ｃは宛先を決定するボタンである。決定ボタン２００Ｃを押下されるとサブウインドウ２００に表示されている宛先を宛先候補欄１７０ｂに追加してサブウインドウ２００を閉じる。表示されていた宛先が既に宛先候補欄１７０ｂに追加されている場合は再度追加することなくサブウインドウ２００を閉じる。
【００４０】
キャンセルボタン２００Ｄは宛先をキャンセルするボタンである。キャンセルボタン２００Ｄを押下されるとサブウインドウ２００を閉じる。この際サブウインドウ２００に表示されている宛先は宛先候補欄１７０ｂには追加されない。
【００４１】
図５はサブウインドウ（第２の画面）２０１を示す図である。サブウインドウ２０１は宛先選択画面においてユーザに宛先候補欄１７０ｂの宛先を選択されると表示される。図５の例ではサブウインドウ２０１には宛先名欄２０１Ａと宛先番号欄２０１Ｂが表示されている。また、画面下部には決定ボタン２０１Ｃとクリアボタン２０１Ｄが表示されている。なお、表示部１７０の表示画面が宛先選択画面からサブウインドウ２０１に切り替わってもよいし、宛先選択画面の上に被さるようにサブウインドウ２０１が表示されてもよい。なお、宛先名欄２０１Ａ、宛先番号欄２０１Ｂに表示される内容はそれぞれ図４に示すサブウインドウ２００における宛先名欄２００Ａ、宛先番号欄２００Ｂと同様のものである。
【００４２】
決定ボタン２０１Ｃは宛先を決定するボタンである。サブウインドウ２０１に表示される宛先は既に宛先候補欄１７０ｂに追加された宛先であるため、決定ボタン２０１Ｃを押下されると再度宛先を宛先候補欄１７０ｂに追加することなくサブウインドウ２０１を閉じる。
【００４３】
クリアボタン２０１Ｄは宛先を削除するボタンである。クリアボタン２０１Ｄを押下されるとサブウインドウ２００を閉じる。さらに表示されていた宛先を宛先候補欄１７０ｂから削除する。
【００４４】
このようにサブウインドウ２００および２０１を表示することによりユーザは選択した宛先の宛先名や宛先番号を全桁確認することが出来るので選択した宛先が適切な宛先であるかを確認したうえで、宛先候補欄１７０ｂに追加する、または宛先候補欄１７０ｂから削除することが出来る。
【００４５】
次にサブウインドウ２００、２０１を表示させる条件について説明する。サブウインドウ２００、２０１は宛先が選択されるたびに表示してもよいが、宛先名が十分に短い（例えば宛先名の全ての文字また数字が宛先選択欄１７０ａや宛先候補欄に表示できる）場合にも毎回サブウインドウ２００、２０１を表示されるとユーザがその都度サブウインドウ２００、２０１を閉じるという手間が発生してしまう。よって本実施形態ではサブウインドウ２００、２０１は所定の条件を満たす場合にのみ表示する。所定の条件とは例えば宛先名および／または宛先番号（ＦＡＸ番号やメールのアドレス番号）が所定の桁数より多い桁数からなることである。所定の桁数とは宛先選択欄１７０ａや宛先候補欄１７０ｂに表示可能な桁数である。または、所定の桁数はユーザによって予め設定された桁数であってもよい。
【００４６】
図６は宛先選択処理における制御フローチャートである。以下の例では宛先名の桁数が所定の桁数より多いことを所定の条件として説明する。以下の例では、ユーザ操作により宛先選択画面を表示した状態からスタートする。
【００４７】
制御部１９０は、ユーザから宛先選択欄１７０ａの宛先を選択されると（ＡＣＴ１００）、選択された宛先の宛先名の桁数が所定の桁数より多いか否かを判断する（ＡＣＴ１０１）。制御部１９０は選択された宛先の宛先名の桁数が少ないと判断すると（ＡＣＴ１０１、ＮＯ）、選択された宛先を宛先候補欄１７０ｂへ追加する（ＡＣＴ１０６）。制御部１９０は選択された宛先の宛先名の桁数が所定の桁数より多いと判断すると（ＡＣＴ１０１、ＹＥＳ）、サブウインドウ２００を表示する（ＡＣＴ１０２）。その後、制御部１９０はユーザから決定ボタン２００Ｃまたはキャンセルボタン２００Ｄが押下されるまで待機する（ＡＣＴ１０３、ＮＯ）。いずれかのボタンが押下されると（ＡＣＴ１０３、ＹＥＳ）、制御部１９０は決定ボタン２００Ｃが押下されたかを判断する(ＡＣＴ１０４)。制御部１９０は押されたボタンが決定ボタン２００Ｃであると判断した場合(ＡＣＴ１０４、ＹＥＳ)、サブウインドウ２００を閉じる（ＡＣＴ１０５）。その後、制御部１９０は選択された宛先を宛先候補欄１７０ｂへ追加する（ＡＣＴ１０６）。その後制御部１９０は処理をＡＣＴ１０７へ進める。
【００４８】
ＡＣＴ１０４にて、制御部１９０が押下されたボタンは決定ボタン２００Ｃではないと判断した場合(ＡＣＴ１０４、ＮＯ)、制御部１９０はキャンセルボタン２００Ｄを押下されたと判断する(ＡＣＴ１１０)。その後、制御部１９０はサブウインドウ２００を閉じて処理をＡＣＴ１０７へ進める。
【００４９】
ＡＣＴ１０７にて、制御部１９０は他の宛先が選択されると処理をＡＣＴ１００へ戻す（ＡＣＴ１０７、ＮＯ）。他の宛先の選択がない状態で（ＡＣＴ１０７、ＹＥＳ）、ユーザからの送信操作がなければ（ＡＣＴ１０８、ＮＯ）、制御部１９０は処理をＡＣＴ１０７へ戻す。ＡＣＴ１０８にて、制御部１９０はユーザからの送信ボタン１７０ｅの操作があった場合は（ＡＣＴ１０８、ＹＥＳ）、画像データを選択された宛先に送信し（ＡＣＴ１０９）、一連の処理を終了する。
【００５０】
次にユーザが宛先候補欄１７０ｂの宛先を選択した場合の処理について説明する。図７は宛先候補選択処理における制御フローチャートである。以下の例では、ユーザ操作により宛先選択画面を表示した状態からスタートする。
【００５１】
制御部１９０は、ユーザから宛先候補欄１７０ｂの宛先を選択されると（ＡＣＴ２００）、選択された宛先の宛先名の桁数が所定の桁数より多いか否かを判断する（ＡＣＴ２０１）。制御部１９０は選択された宛先の宛先名の桁数が少ないと判断すると（ＡＣＴ２０１、ＮＯ）、処理をＡＣＴ２０６へ進める。制御部１９０は選択された宛先の宛先名の桁数が所定の桁数より多いと判断すると（ＡＣＴ２０１、ＹＥＳ）、サブウインドウ２０１を表示する（ＡＣＴ２０２）。
【００５２】
その後、制御部１９０はユーザから決定ボタン２０１Ｃまたはクリアボタン２０１Ｄが押下されるまで待機し（ＡＣＴ２０３、ＮＯ）、決定ボタン２０１Ｃが押下されると（ＡＣＴ２０４、ＹＥＳ）、サブウインドウ２０１を閉じる（ＡＣＴ２０５）。その後、制御部１９０は処理をＡＣＴ２０６へ処理を進める。ＡＣＴ２０３にて制御部１９０は押下されたボタンが決定ボタン２０１Ｃでなければクリアボタン２０１Ｄが押下されたと判断し（ＡＣＴ２０９）、サブウインドウ２０１を閉じる。さらに宛先候補欄１７０ｂから宛先を削除する（ＡＣＴ２１０）。その後、制御部１９０は処理をＡＣＴ２０６へ処理を進める。
【００５３】
制御部１９０はＡＣＴ２０６にて他の宛先が選択されると処理をＡＣＴ２００へ戻す（ＡＣＴ２０６、ＮＯ）。他の宛先の選択がない状態で（ＡＣＴ２０６、ＹＥＳ）、ユーザからの送信操作がなければ（ＡＣＴ２０７、ＮＯ）、制御部１９０は処理をＡＣＴ２０６へ戻す。ユーザからの送信ボタン１７０ｅの操作があった場合は（ＡＣＴ２０７、ＹＥＳ）、画像データを選択された宛先に送信し（ＡＣＴ２０８）、一連の処理を終了する。
【００５４】
以上、本実施形態の画像処理装置１は、宛先名の桁数が多い宛先が選択された場合にサブウインドウにより宛先の全桁を表示することで宛先の選択間違いを防止することが出来る。さらに、サブウインドウは所定の条件を満たした場合のみに表示されるため宛先名が短い宛先を選択した場合にサブウインドウを閉じる手間を省くことが出来る。
【００５５】
（第２の実施形態）
次に第２の実施形態について説明する。本実施形態では、所定の条件としてユーザに選択された宛先と類似の宛先がある場合にサブウインドウを表示する。
【００５６】
類似の宛先とは、例えば選択された宛先の宛先名の全桁が宛先選択欄１７０ａおよび／または宛先候補欄１７０ｂに表示しきれず、さらに表示されている部分の文字および／または数字が他の宛先の宛先名の表示されている文字および／または数字と同一である宛先である。例えば、「（株）東芝テック  三島事業所」で登録されている宛先と、「（株）東芝テック  大仁事業所」で登録されている宛先は図３の画面では「（株）東芝テック」としか表示されておらず、表示されている部分については同一の文字が表示されているため類似の宛先である。
【００５７】
その他、例えば宛先名のうち、予め定められた桁数が一致する宛先同士は類似の宛先としてもよい。例えば宛先名の上５桁と他の宛先名の上５桁が一致していればそれらの宛先は互いに類似の宛先と判断してもよい。また宛先の登録時にユーザが予め類似の宛先として２以上の宛先を紐付けて登録しておいてもよい。
【００５８】
なお、本実施形態において表示されるサブウインドウは図４に示すようなサブウインドウ２００に限らない。
【００５９】
次にサブウインドウ２００における宛先表示の変形例について説明する。図８はサブウインドウ２００の変形例であるサブウインドウ２０２を示す図である。サブウインドウ２０２はユーザによって選択された宛先を含む複数の宛先を表示する。表示される宛先は、ユーザによって選択された宛先および選択された宛先に類似する宛先である。この例ではサブウインドウ２０２には３件の宛先の情報が表示されている。画像処理装置１はユーザから宛先の選択を受け付けると、選択された宛先と選択された宛先と類似する宛先の情報をサブウインドウ２０２に表示する。ユーザは表示されている複数の宛先から所望する適切な宛先を選択して決定ボタン２００Ｃを押下することで選択された宛先を宛先候補欄１７０ｂへ追加することが出来る。
【００６０】
図９はサブウインドウ２００の他の変形例であるサブウインドウ２０３を示す図である。この例のサブウインドウ２０３には類似宛先表示ボタン２０３Ａが表示されている。画像処理装置１はユーザから宛先の選択を受け付けると、選択された宛先を表示する。類似宛先表示ボタン２０３Ａはページ送りボタン２０３Ｂ、ページ番号２０３Ｃ、およびページ戻しボタン２０３Ｄを含む。ユーザがページ送りボタンまたはページ戻しボタンを押すことで類似の宛先間で表示される内容を切り替えることができる。
【００６１】
これら変形例により、ユーザは宛先選択欄１７０の宛先を１つ１つ選択して確認する手間が省け、１つの宛先を選択したときにサブウインドウ２００に表示された複数の宛先の中から適切な宛先を１つ選ぶことが出来る。
【００６２】
図１０は宛先選択処理における制御フローチャートである。以下の例では宛先名の桁数が所定の桁数より多いことを所定の条件として説明する。また、類似の宛先は、選択された宛先の宛先名が宛先選択欄１７０ａに表示しきれず、さらに表示されている部分の文字が他の宛先の宛先名の表示されている文字と同一である宛先とする。以下の説明では表示されるサブウインドウは図４のサブウインドウ２００と同様のものとして説明する。
【００６３】
制御部１９０は、ユーザから宛先選択欄１７０ａの宛先を選択されると（ＡＣＴ３００）、選択された宛先の宛先名の桁数が所定の桁数より多いか否かを判断する（ＡＣＴ３０１）。制御部１９０は選択された宛先の宛先名の桁数が少ないと判断すると（ＡＣＴ３０１、ＮＯ）、選択された宛先を宛先候補欄１７０ｂへ追加する（ＡＣＴ３０７）。制御部１９０は選択された宛先の宛先名の桁数が所定の桁数より多いと判断すると（ＡＣＴ３０１、ＹＥＳ）、類似の宛先があるかを判断する（ＡＣＴ３０２）。類似の宛先が無いと判定されれば（ＡＣＴ３０２、ＮＯ）、制御部１９０は選択された宛先を宛先候補欄１７０ｂへ追加する（ＡＣＴ３０７）。類似の宛先があると判定されれば（ＡＣＴ３０２、ＹＥＳ）、制御部１９０はサブウインドウ２００を表示する（ＡＣＴ３０３）。その後、制御部１９０はユーザから決定ボタン２００Ｃまたはキャンセルボタン２００Ｄが押下されるまで待機し（ＡＣＴ３０４、ＮＯ）、いずれかのボタンが押下されると制御部１９０は決定ボタン２００Ｃが押下されたかを判断する(ＡＣＴ３０５)。制御部１９０は決定ボタン２００Ｃが押下されたと判断すると（ＡＣＴ３０５、ＹＥＳ）、サブウインドウ２００を閉じる（ＡＣＴ３０６）。その後、制御部１９０は選択された宛先を宛先候補欄１７０ｂへ追加する（ＡＣＴ３０７）。ＡＣＴ３０５にて制御部１９０は押下されたボタンが決定ボタン２００Ｃでなければキャンセルボタン２００Ｄが押下されたと判断し（ＡＣＴ３１１）、サブウインドウ２００を閉じる。その後、制御部１９０は処理をＡＣＴ３０８へ処理を進める。
【００６４】
制御部１９０はユーザが選択した宛先を宛先候補欄１７０ｂへ追加した後、他の宛先が選択されると処理をＡＣＴ３００へ戻す（ＡＣＴ３０８、ＮＯ）。他の宛先の選択がない状態で（ＡＣＴ３０８、ＹＥＳ）、ユーザからの送信操作がなければ（ＡＣＴ３０９、ＮＯ）、制御部１９０は処理をＡＣＴ３０８へ戻す。ユーザからの送信ボタン１７０ｅの操作があった場合は（ＡＣＴ３０９、ＹＥＳ）、画像データを選択された宛先に送信し（ＡＣＴ３１０）、一連の処理を終了する。
【００６５】
次にユーザが宛先候補欄１７０ｂの宛先を選択した場合の処理について説明する。図１１は宛先候補選択処理における制御フローチャートである。
【００６６】
制御部１９０は、ユーザから宛先候補欄１７０ｂの宛先を選択されると（ＡＣＴ４００）、選択された宛先の宛先名の桁数が所定の桁数より多いか否かを判断する（ＡＣＴ４０１）。制御部１９０は選択された宛先の宛先名の桁数が少ないと判断すると（ＡＣＴ４０１、ＮＯ）、処理をＡＣＴ４０７へ進める。制御部１９０は選択された宛先の宛先名の桁数が所定の桁数より多いと判断すると（ＡＣＴ４０１、ＹＥＳ）、類似の宛先があるかを判定する（ＡＣＴ４０２）。類似の宛先が無いと判定されれば（ＡＣＴ４０２、ＮＯ）、制御部１９０はＡＣＴ４０７へ処理を進める。類似の宛先があると判定されれば（ＡＣＴ４０２、ＹＥＳ）、制御部１９０はサブウインドウ２０１を表示する（ＡＣＴ４０３）。その後、制御部１９０はユーザから決定ボタン２０１Ｃまたはクリアボタン２０１Ｄが押下されるまで待機する（ＡＣＴ４０４、ＮＯ）。いずれかのボタンが押下されると、制御部１９０は決定ボタン２００Ｃが押下されたかを判断する（ＡＣＴ４０５）。制御部１９０は押下されたボタンが決定ボタン２０１Ｃであると判断すると（ＡＣＴ４０５、ＹＥＳ）、サブウインドウ２０１を閉じる（ＡＣＴ４０６）。その後、制御部１９０は処理をＡＣＴ４０７へ処理を進める。制御部１９０は押下されたボタンが２０１Ｃではないと判断すると（ＡＣＴ４０５、ＮＯ）、クリアボタン２０１Ｄが押下されたと判断し（ＡＣＴ４１０）、サブウインドウ２０１を閉じて宛先候補欄１７０ｂから宛先を削除する（ＡＣＴ４１１）。その後、制御部１９０は処理をＡＣＴ４０７へ進める。
【００６７】
制御部１９０はＡＣＴ４０７にて他の宛先が選択されると処理をＡＣＴ４００へ戻す（ＡＣＴ４０７、ＮＯ）。他の宛先の選択がない状態で（ＡＣＴ４０７、ＹＥＳ）、ユーザからの送信ボタン１７０ｅの操作がなければ（ＡＣＴ４０８、ＮＯ）、制御部１９０は処理をＡＣＴ４０７へ戻す。ユーザからの送信ボタン１７０ｅの操作があった場合は（ＡＣＴ４０８、ＹＥＳ）、画像データを選択された宛先に送信し（ＡＣＴ４０９）、一連の処理を終了する。
【００６８】
これにより宛先名が宛先欄１７０ａおよび／または宛先候補欄１７０ｂに表示できないほど桁数が所定の桁数より多い場合であっても類似の宛先がなければサブウインドウ２００、２０１を表示しないためユーザがサブウインドウ２００、２０１を閉じる手間を省くことができる。
【００６９】
なお、本実施例では所定の条件として宛先名の桁数が所定の桁数より多いこと、および類似の宛先があることを条件としたがこれに限定されない。所定の条件は類似の宛先があるか否かのみを条件としてもよい。
【００７０】
また、上記の例では宛先候補欄１７０ｂの宛先が選択された場合にサブウインドウ２０１を表示するものとして説明したが、宛先候補欄１７０ｂに登録されている宛先は既に宛先選択欄１７０ａで選択した際に確認済みであるため宛先候補欄１７０ｂを押下した際に改めてサブウインドウ２０１を表示しなくてもよい。
【００７１】
第２の実施形態では宛先候補欄１７０ｂの宛先が選択された場合も類似の宛先があるか否かによってサブウインドウ２０１を表示するか否か判断していたがこれに限定されない。宛先候補欄１７０ｂの宛先が選択された場合は類似の宛先があるか否かに関わらずサブウインドウ２０１を表示してもよい。
【００７２】
（変形例）
次に上述した第１の実施形態および第２の実施形態の変形例について説明する。この変形例の画像処理装置１はユーザが宛先を長押しすることで宛先選択画面上にサブウインドウをポップアップ表示する。
【００７３】
図１２は本実施形態における宛先選択画面とサブウインドウ２０４を示す図である。図３を用いて説明した宛先選択画面において、ユーザがコントロールパネル１７０上の宛先を指で押下する、またはキーを用いて選択用カーソルを合わせるとサブウインドウ２０４を表示する。また、ユーザがコントロールパネル１７０上の宛先から指を離す、または選択用カーソルを離すとサブウインドウ２０４の表示を終了させる。表示されるサブウインドウ２０４には図４のサブウインドウ２００同様に宛先名と宛先番号が表示されている。
【００７４】
サブウインドウ２０４は例えばユーザがコントロールパネル１７０上の宛先から指を離すことでサブウインドウ２０４の表示を終了させるため、図４のような決定ボタン２００Ｃ、キャンセルボタン２００Ｄ、および図５のクリアボタン２０１Ｄは表示しなくてもよい。
【００７５】
図３に戻り、ユーザが宛先を選択するとコントロールパネル１７０上にサブウインドウ２００や２０４等を表示することなく選択された宛先を宛先候補欄１７０ｂへ追加する。これにより、画像処理装置１はユーザがサブウインドウ２００を閉じる手間を省きつつ、ユーザが所望する適切な宛先を宛先候補欄１７０ｂに追加させることが出来る。
【００７６】
また、上記の例ではコントロールパネル１７０上で宛先を選択することを例に説明したがこれに限定されない。例えば宛先の選択は画像処理装置１と無線通信により接続可能な外部機器（スマートフォンやＰＣ等）上で行われてもよい。例えば、ユーザが画像処理装置１と無線通信により接続されたスマートフォン上で宛先を選択し、その情報に基づいて画像処理装置１からＦＡＸやｅ−ｍａｉｌを送信する場合、宛先選択画面をスマートフォン上に表示する。さらに、スマートフォン上で選択された宛先が所定の条件を満たす場合のみサブウインドウを表示する。これにより上記の実施形態同様にユーザは適切な宛先を選択することが出来る。なお、スマートフォン上に表示される宛先の情報はスマートフォンの記憶部に記憶されていてもよいし、無線通信を介して接続されているサーバや画像処理装置１から取得してもよい。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１…画像処理装置
１００…読取部
１７０…コントロールパネル
１７５…記憶部
１８０…通信Ｉ／Ｆ
１９０…制御部
２００、２０１、２０２、２０３、２０４…サブウインドウ
【図１】
2020156010.tif 000003
【図２】
2020156010.tif 000004
【図３】
2020156010.tif 000005
【図４】
2020156010.tif 000006
【図５】
2020156010.tif 000007
【図６】
2020156010.tif 000008
【図７】
2020156010.tif 000009
【図８】
2020156010.tif 000010
【図９】
2020156010.tif 000011
【図１０】
2020156010.tif 000012
【図１１】
2020156010.tif 000013
【図１２】
2020156010.tif 000014